(57)【要約】【課題】    耕転軸に巻付いた草藁が支持側フランジとダストカバーの隙間から侵入することを防止すること。【解決手段】    ロータリ作業機のサイド駆動ロータリに設けられた駆動側フランジ及び支持側フランジに、ロータリ耕耘爪軸の両端部に設けた軸側フランジをそれぞれボルト締結することにより当該ロータリ耕耘爪軸を取付けるものにおいて、駆動側又は支持側フランジより外方にダストカバーを覆うように被せ、軸側フランジの側面に接着させる。  又、ダストカバーの軸側フランジの側面に対する接着を、略直角に接着させたものでも良い。【選択図】    図１
2005287384.tif 000002
【特許請求の範囲】
【請求項１】
ロータリ作業機のサイド駆動ロータリに設けられた駆動側フランジ及び支持側フランジに、ロータリ耕耘爪軸の両端部に設けた軸側フランジをそれぞれボルト締結することにより当該ロータリ耕耘爪軸を取付けるロータリ耕耘爪軸において、駆動側又は支持側フランジより外方にダストカバーを覆うように被せ、軸側フランジの側面に接着させたことを特徴とするロータリ耕耘爪軸
【請求項２】
ダストカバーは、軸側フランジの側面の略直角に接着させた請求項１記載のロータリ耕耘爪軸
【発明の詳細な説明】
【技術分野】
【０００１】
本発明は、トラクタに装着するロータリ作業機におけるロータリ耕耘爪軸のダストカバーに関する。
【背景技術】
【０００２】
図５は、ロータリ作業機としてのロータリ耕耘機における従来のロータリ耕耘爪軸を示している。なお従来技術は、本発明の図２乃至図４のトラクタの後部に装着されるロータリ耕耘機と基本構造は同じであり、只ロータリ耕耘爪軸の支持側部分だけが異なるのである。
【０００３】
従来技術は、本発明と同様にロータリ耕耘機はトラクタで牽引されながら、そのトラクタのＰＴＯ軸（動力取出し軸）からの動力でロータリ耕耘爪軸３１が回転駆動されるようになっている。
ＰＴＯ軸からの動力が伝導される入力軸から、ベベルギアボックスの一端側より、入力スプロケット、チェーン、出力スプロケット等に駆動力が伝導される。
【０００４】
入力スプロケットはベベルギアのギア出力を伝導する伝導軸に固定され、出力スプロケットは出力スプロケット軸に固定されている。出力スプロケット軸は軸受により回動自在に支持され、その他端側には適宜部材を介して駆動側フランジが固設されている。
【０００５】
一方、側板１２の他端にはボルト２５締結により軸受２６が固設され、この軸受２６に回動自在に支持された軸部材２７の他端に支持側フランジ３３ｂが設けられている。この駆動側フランジ３３ａ（図５には図示せず）及び支持側フランジ３３ｂに対応して、ロータリ耕耘爪軸３１の両端部には軸側フランジ３２ａ（図５には図示せず）、３２ｂが設けられている。
【０００６】
駆動側フランジ３３ａ（図５には図示せず）と支持側フランジ３３ｂ間にロータリ耕耘爪軸３１が取付けられている。ロータリ耕耘爪軸３１には、所定のピッチで複数の爪座が放射状に突設され、各爪座にボルト締結により耕耘爪が固定されている。
【０００７】
図５に示すように支持側フランジ３３ｂにそれぞれ軸側フランジ３２ｂに対し、ボルト８が締結されて、ボルト８は、一部が軸部材２７の支持側フランジ３３ｂに到達している。
軸部材２７の支持側フランジ３３ｂより外方には、ダストカバー４０が、支持側フランジ３３ｂを覆うように被せてあるが、ダストカバー４０の頂部は、軸側フランジ３２ｂの最外周の更に外側にあり、耕転軸に巻付いた草藁がダストカバー隙間（Ｒ）から侵入しやすかった。
即ち、従来は軸側フランジ３２ｂの外周面が、ダストカバー４０頂部の内径面より小さくダストカバー４０の隙間Ｒが隣接している為、耕転軸フランジの周囲に巻付いた草藁が耕転軸の回転に連れて侵入しやすい構造であった。
【発明の開示】
【発明が解決しようとする課題】
【０００８】
図５は従来のシャフトエンドのフランジ外周面にダストカバーを設けたものを図示したものである。このようなダストカバーの構成では、支持側フランジ３３ｂとダストカバー４０の隙間Ｒから、草藁の侵入を十分に防止出来ず、耕転軸に巻付いた草藁がカバー隙間から侵入しやすかった。
そこでカバーの改良が必要であった。
【課題を解決するための手段】
【０００９】
本発明は、上記に鑑みてなされたもので、請求項１の発明は、ロータリ作業機のサイド駆動ロータリに設けられた駆動側フランジ及び支持側フランジに、ロータリ耕耘爪軸の両端部に設けた軸側フランジをそれぞれボルト締結することにより当該ロータリ耕耘爪軸を取付けるものにおいて、駆動側又は支持側フランジより外方にダストカバーを覆うように被せ、軸側フランジの側面に接着させたロータリ耕耘爪軸を提供することを目的とする。
又請求項２の発明は、ダストカバーの軸側フランジの側面に対する接着を、略直角に接着させたものである。
【発明の効果】
【００１０】
請求項１記載の発明によれば、ロータリ作業機のサイド駆動ロータリに設けられた駆動側フランジ及び支持側フランジに、ロータリ耕耘爪軸の両端部に設けた軸側フランジをそれぞれボルト締結することにより当該ロータリ耕耘爪軸を取付けるものにおいて、駆動側又は支持側フランジより外方にダストカバーを覆うように被せ、軸側フランジの側面に接着させたものであるが、巻付き成長してきた草藁はダストカバー外周面を滑って横方向に流れる為、直接ダストカバー内に侵入しにくくなり、作業に支障を来さない。
請求項２記載の発明によれば、ダストカバーは、軸側フランジの側面の略直角に接着させたため、巻付き成長してきた草藁は、ダストカバー外周面を滑って横方向に流れる為、一層直接ダストカバー内に侵入しにくくなる。
【発明を実施するための最良の形態】
【００１１】
以下、本発明の実施の形態を図面に基づいて説明する。
本発明のトラクタに装着するロータリ作業機におけるロータリ耕耘爪軸のダストカバーは、図１乃至図４は、本発明の耕耘機のロータリ耕耘爪軸を図示したものであり、サイド駆動ロータリに適用した例である。
即ち、トラクタの後部に装着されるロータリ耕耘機１０は、トラクタで牽引されながら、そのトラクタのＰＴＯ軸（動力取出し軸）からの動力でロータリ耕耘爪軸３１が回転駆動されるようになっている。
１５はＰＴＯ軸からの動力が伝導される入力軸であり、ベベルギアボックス１６の部分に設けられている。
【００１２】
ベベルギアボックス１６の一端側には、入力スプロケット１９、チェーン２０、出力スプロケット２１等からなるチェーン伝導機構が内装されたチェーンケース２２がボルト１４締結により取付けられ、ベベルギアボックス１６の他端側には側板１２がボルト１３締結により取付けられている。
入力スプロケット１９はベベルギア１７のギア出力を伝導する伝導軸１８に固定され、出力スプロケット２１は出力スプロケット軸２３に固定されている。出力スプロケット軸２３は軸受２４により回動自在に支持され、その他端側には適宜部材を介して駆動側フランジ３３ａが固設されている。
【００１３】
一方、側板１２の他端にはボルト２５締結により軸受２６が固設され、この軸受２６に回動自在に支持された軸部材２７の他端に支持側フランジ３３ｂが設けられている。この駆動側フランジ３３ａ及び支持側フランジ３３ｂに対応して、ロータリ耕耘爪軸３１の両端部には軸側フランジ３２ａ、３２ｂが設けられている。
【００１４】
ここで、本発明の第１実施例について説明する。駆動側フランジ３３ａ及び支持側フランジ３３ｂにそれぞれ軸側フランジ３２ａ、３２ｂがボルト８が締結されて、ボルト８は、一部が軸部材２７の駆動側フランジ３３ａ及び支持側フランジ３３ｂに到達している。
軸部材２７の支持側フランジ３３ｂより外方には、ダストカバー５０が、支持側フランジ３３ｂを覆うように被せてあり、ダストカバー５０の頂部５０ｔの先端は、軸側フランジ３２ｂの側面に接着している。即ち、ダストカバー５０の頂部５０ｔの外径より、軸側フランジ３２ｂの周面の外径の方が大きい。なお、ダストカバー５０は、椀形状であり、底部は、軸固定部材３４に固定されている。
従って、巻付き成長してきた草藁はダストカバー５０外周面を滑って横方向に流れる為、直接ダストカバー５０内に侵入しにくくなる。
【００１５】
次に、本発明の第２実施例のトルク検出器について説明する。図５の軸部材２７の周縁６２は着磁部であり、６１は検出センサーである。
第２実施例のトルク検出器 ６０は、加えられたトルクの強さに対応した磁界が発生するように着磁された着磁部６１を有するロータリ耕耘爪軸３１と、該軸の近傍に配設され、該軸に加えられたトルクによって発生した磁界の強さを検出する磁界検出手段である検出センサー６１とを備えたものである。これにより、簡単にロータリ耕耘爪軸３１のトルクの検出が可能であり、該トルクを検出し，土壌の硬さによってＰＴＯ回転数を変化させることで．均一な耕耘状態に仕上げることが出来る。また、土壌の中の石などの検知することで，ロータリをすぐに止めることも可能であり、ロータリ耕耘爪軸３１の爪破損も防止出来る。
【００１６】
なお、本発明の第２実施例は、本発明の第１実施例と結合して適用しても良い。
又本発明の目的の範囲で各実施態様は適宜組み合わせが可能である。
【図面の簡単な説明】
【００１７】
【図１】本件発明のロータリ耕耘爪軸３１の支持側の部分詳細図
【図２】本件発明のロータリ耕耘機の全体側面図
【図３】本件発明のロータリ作業機におけるロータリ耕耘爪軸の取付構造を示す平面断面図
【図４】本件発明のロータリ耕耘爪軸３１の断面図
【図５】従来のロータリ耕耘爪軸３１の支持側の部分詳細図
【符号の説明】
【００１８】
１０  ロータリ耕耘機
３１  ロータリ耕耘爪軸
３２ａ、３２ｂ  軸側フランジ
３３ａ  駆動側フランジ
３３ｂ  支持側フランジ
３４    軸固定部材
５０  ダストカバー
６０  トルク検出器
【図１】
2005287384.tif 000003
【図２】
2005287384.tif 000004
【図３】
2005287384.tif 000005
【図４】
2005287384.tif 000006
【図５】
2005287384.tif 000007